(57)【要約】【課題】  複数のテロップ送出機をネットワーク上で選択的に複数の副調整室に割り付けて使い回すことにより、全ての副調整室に必要なテロップ送出機を簡単かつ安価に揃えることができる、送出機割付サーバ、テロップ送出機、割付指示端末、送出機割付システムおよび送出機割付プログラムを提供する。【解決手段】  割り付けを指示する割付指示端末から、番組の特定情報と、テロップの系統毎に割り付けられた１または２以上のテロップ送出機を識別する送出機識別情報と、テロップのオン／オフ操作を行う制御端末を識別する制御端末識別情報とを含む設定ファイルを取得する設定ファイル取得部と、設定ファイルに基づいて、送出機識別情報に対応する各テロップ送出機に対して、制御端末識別情報に対応する制御端末との通信接続を確立させるとともに、前記制御端末の各系統に対して、前記各テロップ送出機を割り付ける送出機割付部とを有する。【選択図】  図１
2018082231.tif 000002
【特許請求の範囲】
【請求項１】
番組で表示されるテロップを送出する複数のテロップ送出機を選択的に複数の副調整室に割り付けるための送出機割付サーバであって、
前記割り付けを指示する割付指示端末から、前記番組の特定情報と、当該番組で表示させるテロップの系統毎に割り付けられた１または２以上の前記テロップ送出機を識別する送出機識別情報と、前記副調整室内に設けられ前記テロップのオン／オフ操作を行う制御端末を識別する制御端末識別情報とを含む設定ファイルを取得する設定ファイル取得部と、
前記設定ファイルに基づいて、前記特定情報で特定される番組ごとに、前記送出機識別情報に対応する各テロップ送出機に対して、前記制御端末識別情報に対応する前記制御端末との通信接続を確立させるとともに、映像信号の切替を行うマトリックススイッチャを制御することにより、前記制御端末識別情報に対応する前記制御端末の各系統に対して、前記送出機識別情報に対応する各テロップ送出機を割り付ける送出機割付部と、
を有する、送出機割付サーバ。
【請求項２】
請求項１に記載の送出機割付サーバによって割り付けられるテロップ送出機であって、
前記テロップ送出機と前記各制御端末との間に生じる映像信号の位相差を同期させる位相値を記憶する位相値記憶部を有しており、通信接続が確立された前記制御端末に対応する前記位相値を自動的に設定する、テロップ送出機。
【請求項３】
請求項１に記載の送出機割付サーバに前記設定ファイルを送信する前記割付指示端末であって、
前記割付指示端末は、前記制御端末に対する前記系統の割り付け、および前記系統に対する前記テロップ送出機の割り付けを行う割付画面を表示手段に表示する表示制御部を有し、
前記表示制御部は、前記制御端末を表す複数の制御端末アイコンと、前記テロップの系統を表す複数の系統アイコンと、前記テロップ送出機を表す複数の送出機アイコンとを前記割付画面に表示させるとともに、
前記制御端末アイコンおよび前記系統アイコンのいずれか一方から他方へのドラッグ・アンド・ドロップ操作により前記制御端末アイコンと前記系統アイコンとを連結する線を表示し、前記系統アイコンおよび前記テロップ送出機アイコンのいずれか一方から他方  へのドラッグ・アンド・ドロップ操作により前記系統アイコンと前記送出機アイコンとを連結する線を表示する、割付指示端末。
【請求項４】
請求項１に記載の送出機割付サーバに前記設定ファイルを送信する前記割付指示端末であって、
前記割付指示端末は、前記番組を選択する番組リスト画面を表示手段に表示する表示制御部を有し、
前記表示制御部は、前記番組の番組名とともに当該番組で使用する前記テロップの系統を前記番組リスト画面に表示する、割付指示端末。
【請求項５】
請求項１に記載の送出機割付サーバと、
複数の前記テロップ送出機と、
複数の前記制御端末と、
前記割付指示端末と、
前記マトリックススイッチャと、
を有する、送出機割付システム。
【請求項６】
番組で表示されるテロップを送出する複数のテロップ送出機を選択的に複数の副調整室に割り付けるための送出機割付プログラムであって、
前記割り付けを指示する割付指示端末から、前記番組の特定情報と、当該番組で表示させるテロップの系統毎に割り付けられた１または２以上の前記テロップ送出機を識別する送出機識別情報と、前記副調整室内に設けられ前記テロップのオン／オフ操作を行う制御端末を識別する制御端末識別情報とを含む設定ファイルを取得する設定ファイル取得部と、
前記設定ファイルに基づいて、前記特定情報で特定される番組ごとに、前記送出機識別情報に対応する各テロップ送出機に対して、前記制御端末識別情報に対応する前記制御端末との通信接続を確立させるとともに、映像信号の切替を行うマトリックススイッチャを制御することにより、前記制御端末識別情報に対応する前記制御端末の各系統に対して、前記送出機識別情報に対応する各テロップ送出機を割り付ける送出機割付部と、
してコンピュータを機能させる、送出機割付プログラム。
【発明の詳細な説明】
【技術分野】
【０００１】
本発明は、番組で表示されるテロップを送出する複数のテロップ送出機を選択的に複数の副調整室に割り付けるための、送出機割付サーバ、テロップ送出機、割付指示端末、送出機割付システムおよび送出機割付プログラムに関するものである。
【背景技術】
【０００２】
テレビ放送局には、様々な施設がある。主な施設として、テレビ番組の収録や生放送等を行うスタジオと、このスタジオに設置されたマイクの音声やテレビカメラの映像等を調整する副調整室（いわゆる「サブ」）と、この副調整室等で完成した番組素材を放送進行表に従い送信所に送り出す主調整室（いわゆる「マスター」）とがある。
【０００３】
また、近年では、番組の付加価値を高めるため、テレビ画面にテロップと呼ばれるコンピュータグラフィック映像を映し出すことが多用されている。一般的に、テロップは、図３に示すように、放送されるテレビ画面上において「系統」と呼ばれるテロップの配置場所を特定しておき、各系統に映像信号を出力させることによって映し出されるようになっている。
【０００４】
このとき、系統には「テロップ送出機」と呼ばれる映像信号を出力する機器が割り付けられており、副調整室等に設置された制御端末において前記テロップ送出機から出力される映像信号のオン／オフ操作が行われるようになっている。特開２０１１−３５９３６号公報では、このような番組製作用のテロップ送出機に関する発明が提案されている（特許文献１）。
【先行技術文献】
【特許文献】
【０００５】
【特許文献１】特開２０１１−３５９３６号公報
【発明の概要】
【発明が解決しようとする課題】
【０００６】
しかしながら、テレビ画面上に複数のテロップを表示させる場合には、系統毎にテロップ送出機が必要である。例えば、図３に示すように、４箇所の系統がある場合には４台のテロップ送出機が必要となる。また、同じ副調整室であっても番組毎に必要とされるテロップ送出機の数は異なる。このため、テロップ送出機の総数が少ないテレビ局では、番組が変わる度に必要数のテロップ送出機を各副調整室間で移動させ、その都度、配線しなければならず、極めて多くの手間と時間を要するという問題がある。
【０００７】
一方、全ての副調整室に予め必要とされる最大数のテロップ送出機を固定的に配置する方法も考えられる。しかしながら、テロップ送出機は１台当たりの価格が非常に高額であるため、規模の大きいテレビ局ほど導入コストがかかるという問題がある。例えば、５つの副調整室のそれぞれに４台のテロップ送出機を配置する場合、合計２０台ものテロップ送出機が必要となる。
【０００８】
本発明は、以上のような問題点を解決するためになされたものであって、複数のテロップ送出機をネットワーク上で選択的に複数の副調整室に割り付けて使い回すことにより、全ての副調整室に必要なテロップ送出機を簡単かつ安価に揃えることができる、送出機割付サーバ、テロップ送出機、割付指示端末、送出機割付システムおよび送出機割付プログラムを提供することを目的としている。
【課題を解決するための手段】
【０００９】
本発明に係る送出機割付サーバは、複数のテロップ送出機をネットワーク上で選択的に複数の副調整室に割り付けて使い回すことにより、全ての副調整室に必要なテロップ送出機を簡単かつ安価に揃えるという課題を解決するために、番組で表示されるテロップを送出する複数のテロップ送出機を選択的に複数の副調整室に割り付けるための送出機割付サーバであって、前記割り付けを指示する割付指示端末から、前記番組の特定情報と、当該番組で表示させるテロップの系統毎に割り付けられた１または２以上の前記テロップ送出機を識別する送出機識別情報と、前記副調整室内に設けられ前記テロップのオン／オフ操作を行う制御端末を識別する制御端末識別情報とを含む設定ファイルを取得する設定ファイル取得部と、前記設定ファイルに基づいて、前記特定情報で特定される番組ごとに、前記送出機識別情報に対応する各テロップ送出機に対して、前記制御端末識別情報に対応する前記制御端末との通信接続を確立させるとともに、映像信号の切替を行うマトリックススイッチャを制御することにより、前記制御端末識別情報に対応する前記制御端末の各系統に対して、前記送出機識別情報に対応する各テロップ送出機を割り付ける送出機割付部と、を有する。
【００１０】
本発明に係るテロップ送出機は、割り付けられた制御端末に応じて自動的に映像信号を同期するという課題を解決するために、前記送出機割付サーバによって割り付けられるテロップ送出機であって、前記テロップ送出機と前記各制御端末との間に生じる映像信号の位相差を同期させる位相値を記憶する位相値記憶部を有しており、通信接続が確立された前記制御端末に対応する前記位相値を自動的に設定する。
【００１１】
本発明に係る割付指示端末は、割り付け作業を視覚的かつ直感的に行えて設定ファイルを簡単に作成するという課題を解決するために、前記送出機割付サーバに前記設定ファイルを送信する前記割付指示端末であって、前記割付指示端末は、前記制御端末に対する前記系統の割り付け、および前記系統に対する前記テロップ送出機の割り付けを行う割付画面を表示手段に表示する表示制御部を有し、前記表示制御部は、前記制御端末を表す複数の制御端末アイコンと、前記テロップの系統を表す複数の系統アイコンと、前記テロップ送出機を表す複数の送出機アイコンとを前記割付画面に表示させるとともに、前記制御端末アイコンおよび前記系統アイコンのいずれか一方から他方へのドラッグ・アンド・ドロップ操作により前記制御端末アイコンと前記系統アイコンとを連結する線を表示し、前記系統アイコンおよび前記テロップ送出機アイコンのいずれか一方から他方へのドラッグ・アンド・ドロップ操作により前記系統アイコンと前記送出機アイコンとを連結する線を表示する。
【００１２】
また、本発明に係る割付指示端末は、各番組に必要な系統を表示して設定ファイルを簡単に作成するという課題を解決するために、前記送出機割付サーバに前記設定ファイルを送信する前記割付指示端末であって、前記割付指示端末は、前記番組を選択する番組リスト画面を表示手段に表示する表示制御部を有し、前記表示制御部は、前記番組の番組名とともに当該番組で使用する前記テロップの系統を前記番組リスト画面に表示する。
【００１３】
本発明に係る送出機割付システムは、番組において使用されるテロップ送出機と制御端末との割り付けを行うという課題を解決するために、前記送出機割付サーバと、複数の前記テロップ送出機と、複数の前記制御端末と、前記割付指示端末と、前記マトリックススイッチャと、を有する。
【００１４】
本発明に係る送出機割付プログラムは、複数のテロップ送出機をネットワーク上で選択的に複数の副調整室に割り付けて使い回すことにより、全ての副調整室に必要なテロップ送出機を簡単かつ安価に揃えるという課題を解決するために、番組で表示されるテロップを送出する複数のテロップ送出機を選択的に複数の副調整室に割り付けるための送出機割付プログラムであって、前記割り付けを指示する割付指示端末から、前記番組の特定情報と、当該番組で表示させるテロップの系統毎に割り付けられた１または２以上の前記テロップ送出機を識別する送出機識別情報と、前記副調整室内に設けられ前記テロップのオン／オフ操作を行う制御端末を識別する制御端末識別情報とを含む設定ファイルを取得する設定ファイル取得部と、前記設定ファイルに基づいて、前記特定情報で特定される番組ごとに、前記送出機識別情報に対応する各テロップ送出機に対して、前記制御端末識別情報に対応する前記制御端末との通信接続を確立させるとともに、映像信号の切替を行うマトリックススイッチャを制御することにより、前記制御端末識別情報に対応する前記制御端末の各系統に対して、前記送出機識別情報に対応する各テロップ送出機を割り付ける送出機割付部と、してコンピュータを機能させる。
【発明の効果】
【００１５】
本発明によれば、複数のテロップ送出機をネットワーク上で選択的に複数の副調整室に割り付けて使い回すことにより、全ての副調整室に必要なテロップ送出機を簡単かつ安価に揃えることができる。
【図面の簡単な説明】
【００１６】
【図１】本発明に係る送出機割付システムの一実施形態を示す図である。
【図２】本実施形態の送出機割付システムを示すブロック図である。
【図３】本実施形態におけるテレビ画面上で特定される系統の配置場所を示す模式図である。
【図４】本実施形態におけるマトリックススイッチャのスイッチの構成を示す模式図である。
【図５】本実施形態の割付指示端末における割り付け作業を示すフローチャートである。
【図６】本実施形態における割付指示端末の表示手段に表示されるジャンル選択画面を示す図である。
【図７】本実施形態における割付指示端末の表示手段に表示される番組リスト画面を示す図である。
【図８】本実施形態における割付指示端末の表示手段に表示される割付画面を示す図である。
【図９】本実施形態における割付指示端末の割付画面において、制御端末を系統に割り付けるドラッグ・アンド・ドロップ操作を示す図である。
【図１０】本実施形態における割付指示端末の割付画面において、系統とテロップ送出機とを割り付けるドラッグ・アンド・ドロップ操作を示す図である。
【図１１】本実施形態における送出機割付サーバの動作を示すフローチャートである。
【発明を実施するための形態】
【００１７】
以下、本発明に係る送出機割付サーバ、テロップ送出機、割付指示端末、送出機割付システムおよび送出機割付プログラムの一実施形態について図面を用いて説明する。
【００１８】
本実施形態の送出機割付システム１は、図１に示すように、主として、副調整室に対するテロップ送出機の割り付けを指示する割付指示端末２と、番組で表示されるテロップを送出する複数台のテロップ送出機３と、副調整室内に設けられテロップのオン／オフ操作を行う制御端末４と、前記テロップ送出機３および前記制御端末４間の映像信号の切替を行うマトリックススイッチャ５と、各種の映像信号を表示させるマルチビューア装置６と、テレビカメラ等に設けられたタリーランプの点灯を制御するタリー装置７と、複数のテロップ送出機３を選択的に複数の副調整室に割り付ける送出機割付サーバ８とを有する。以下、各構成について説明する。
【００１９】
なお、本発明において、番組とは、地上デジタル放送や衛星放送等を通じて、テレビ局から放送ないし配信される、報道番組、娯楽番組、教養番組、教育番組等のあらゆる番組を含む概念である。
【００２０】
割付指示端末２は、パーソナルコンピュータやタブレット型端末等から構成されており、副調整室に対するテロップ送出機３の割り付けを指示するためのものである。本実施形態において、割付指示端末２は、図２に示すように、表示手段２１と、入力手段２２と、表示制御部２３とを有している。そして、割付指示端末２は、後述する設定ファイルを作成し、ＬＡＮ回線等からなる制御信号線を介して送出機割付サーバ８に送信するようになっている。
【００２１】
設定ファイルは、送出機割付サーバ８に格納されて、各装置間の割り付け状態を定義するものである。本実施形態において、設定ファイルには、主として、番組の特定情報と、当該番組で表示させるテロップの系統毎に割り付けられた１または２以上のテロップ送出機３を識別する送出機識別情報と、副調整室内に設けられた制御端末４を識別する制御端末識別情報とが含まれている。
【００２２】
なお、本実施形態では、番組の特定情報として、ジャンル、番組名および放送日を使用しているが、これに限定されるものではなく、番組を特定しうる情報であればよい。また、本実施形態では、送出機識別情報および制御端末識別情報としてはＩＰアドレスを使用しているが、この構成に限定されるものではなく、各装置を識別しうる情報であればよい。
【００２３】
表示手段２１は、番組の特定情報や、後述する割り付け作業時のドラッグ・アンド・ドロップ操作等の入力操作を行う際に、メニュー画面や各種操作画面の他、後述するジャンル選択画面、番組リスト画面および割付画面等を表示させるものであり、液晶ディスプレイ等によって構成されている。
【００２４】
入力手段２２は、副調整室に対するテロップ送出機３の割り付けを指示するユーザが入力操作するためのものであり、タッチパネル、キーボード、マウス等によって構成される。
【００２５】
表示制御部２３は、制御端末４に対する系統の割り付け、および前記系統に対するテロップ送出機３の割り付けを行うための割付画面や、割り付けを行う番組を選択するための番組リスト画面等を表示手段２１に表示させるものである。
【００２６】
本実施形態において、表示制御部２３は、図８に示すように、制御端末４を表す複数の制御端末アイコンと、テロップの系統を表す複数の系統アイコンと、テロップ送出機３を表す複数の送出機アイコンとを割付画面に表示させる。そして、表示制御部２３は、制御端末アイコンおよび系統アイコンのいずれか一方から他方へのドラッグ・アンド・ドロップ操作により制御端末アイコンと系統アイコンとを連結する線を表示し、系統アイコンおよびテロップ送出機アイコンのいずれか一方から他方へのドラッグ・アンド・ドロップ操作により系統アイコンと送出機アイコンとを連結する線を表示するようになっている。
【００２７】
また、本実施形態において、表示制御部２３は、過去の設定履歴や任意の設定に基づいて、番組の番組名とともに当該番組で使用するテロップの系統を番組リスト画面に表示するようになっている。例えば、割付指示端末２に、同じ番組で使用した直近の放送終了時の系統が記憶されている場合、番組を選択すると自動的に記憶された系統が表示されるようになっている。
【００２８】
なお、表示制御部２３により表示手段２１に表示される割付画面および番組リスト画面の詳細については後述する。
【００２９】
つぎに、テロップ送出機３について説明する。テロップ送出機３は、テロップを表示するためのコンピュータグラフィック映像信号を出力する装置であり、予め記憶されているまたは外部から入力される映像を放送用の映像信号として出力するようになっている。
【００３０】
なお、テロップ送出機３は、接続される制御端末４との距離（ケーブル長さ）に応じて、映像信号に位相差（垂直方向・水平方向）が生じる。このため、従来は、テロップ送出機３と制御端末４との接続を行うたびに位相差を把握し、当該位相差が無くなるように映像信号の位相値を手入力して同期させていた。
【００３１】
そこで、本実施形態のテロップ送出機３は、テロップ送出機３と各制御端末４との間に生じる映像信号の位相差を同期させる位相値を記憶する位相値記憶部３１を有している。そして、後述する送出機割付サーバ８によって制御端末４との通信接続が確立された場合、テロップ送出機３は、通信接続が確立された当該制御端末４に対応する位相値を前記位相値記憶部３１から読み出し、自動的に設定するようになっている。
【００３２】
また、本実施形態では、図１に示すように、テロップ送出機３が、Ｎｏ．１からＮｏ．１６の１６台設置されており、各テロップ送出機３には、送出機識別情報として各々異なるＩＰアドレスが設定されている。また、各テロップ送出機３は、制御信号線を介して送出機割付サーバ８等に接続されている。さらに、各テロップ送出機３は、ＬＡＮ回線等により構成された映像信号線にも接続されており、当該映像信号線を介して後述するマトリックススイッチャ５に接続されている。
【００３３】
制御端末４は、図１に示すように、副調整室のそれぞれに設置されており、音声や映像等を調整するとともに、テロップのオン／オフ操作を行うものである。本実施形態では、図３に示すように、テレビ画面上に設定された「系統」と呼ばれるテロップの配置場所が４つ（Ｔ１〜Ｔ４）設けられている。このため、制御端末４は、図１に示すように、各系統Ｔ１〜Ｔ４ごとに入力されるテロップの映像信号のオン／オフ操作を行う制御スイッチ４１が４つ設けられている。
【００３４】
また、本実施形態では、図１に示すように、制御端末４は、５つの副調整室Ａ〜Ｅにそれぞれ１台ずつ、計５台備えられている。そして、各制御端末４には、制御端末識別情報として各々異なるＩＰアドレスが設定されている。また、各制御端末４は、前記制御信号線を介して送出機割付サーバ８等と接続されているとともに、前記映像信号線を介して後述するマトリックススイッチャ５に接続されている。
【００３５】
マトリックススイッチャ５は、図４に示すように、格子状に配置したいわゆるマトリックススイッチにより映像信号の切り替えを行うものである。本実施形態では、マトリックススイッチャ５は、各テロップ送出機３からの出力と、各制御端末４における系統ごとの入力とによるクロスポイントのオン／オフ制御を行うようになっている。
【００３６】
例えば、図４においては、Ｎｏ．１のテロップ送出機３とＮｏ．Ａの制御端末４の系統Ｔ１とのクロスポイントがオン状態となっており、Ｎｏ．１のテロップ送出機３から出力された映像信号がＮｏ．Ａの制御端末４の系統Ｔ１に入力される。同様に、Ｎｏ．２のテロップ送出機３とＮｏ．Ａの制御端末４の系統Ｔ３とのクロスポイントがオン状態となっており、Ｎｏ．２のテロップ送出機３から出力された映像信号がＮｏ．Ａの制御端末４の系統Ｔ３に入力される。
【００３７】
また、本実施形態において、マトリックススイッチャ５は、図１に示すように、前記制御信号線を介して送出機割付サーバ８に接続されており、送出機割付サーバ８から送信されるスイッチの切替命令に従い、各スイッチのオン／オフ制御を実行するようになっている。
【００３８】
マルチビューア装置６は、完成した番組素材や各テロップ送出機３から出力される映像などをモニターなどに表示させる装置である。本実施形態におけるマルチビューア装置６は、送出機割付サーバ８から通知される設定ファイルの更新通知を受信することで、前記送出機割付サーバ８から前記設定ファイルを読み込み、当該設定ファイルにしたがって、映像の出力先を切り替えるようになっている。
【００３９】
タリー装置７は、スタジオ等において記録中または放送中のテレビカメラを出演者やスタジオスタッフ等に報知するため、前記テレビカメラやモニター等に設けられたタリーランプと呼ばれる、主に赤色ランプの制御を行う装置である。本実施形態におけるタリー装置７は、マルチビューア装置６と同様、送出機割付サーバ８から通知される設定ファイルの更新通知を受信することで、前記送出機割付サーバ８から前記設定ファイルを読み込み、当該設定ファイルにしたがって、タリーランプ等の出力先を切り替えるようになっている。
【００４０】
送出機割付サーバ８は、割付指示端末２において作成された設定ファイルを取得し、当該設定ファイルに基づきテロップ送出機３を選択的に複数の副調整室に割り付けるものである。本実施形態の送出機割付サーバ８は、図２に示すように、主に、送出機割付プログラム８ａや各種データ等を記憶する記憶手段８１と、この記憶手段８１に記憶された設定ファイルを取得して演算処理をする演算処理手段８２とから構成される。
【００４１】
記憶手段８１は、ＲＯＭ、ＲＡＭ、ハードディスク、フラッシュメモリ等によって構成されており、各種のデータを記憶するとともに、演算処理手段８２が演算処理を実行する際のワーキングエリアとして機能するものである。本実施形態におけるにおける記憶手段８１は、主に、送出機割付プログラム８ａを記憶するプログラム記憶部８１１と、設定ファイルを記憶する設定ファイル記憶部８１２とを有する。
【００４２】
プログラム記憶部８１１には、本実施形態の送出機割付プログラム８ａがインストールされている。そして、演算処理手段８２が、前記送出機割付プログラム８ａを実行し、後述する各構成部として機能させることにより、コンピュータ等を送出機割付サーバ８として機能させるようになっている。
【００４３】
なお、送出機割付プログラム８ａの利用形態は、上記構成に限られるものではない。例えば、ＣＤ−ＲＯＭやＵＳＢメモリ等のように、コンピュータで読み取り可能な非一時的な記録媒体に送出機割付プログラム８ａを記憶させておき、この記録媒体から直接読み出して実行してもよい。また、外部サーバ等からクラウドコンピューティング方式やＡＳＰ（application service provider）方式等で利用してもよい。
【００４４】
設定ファイル記憶部８１２は、割付指示端末２から取得した設定ファイルを記憶するものである。設定ファイルは、図２に示すように、少なくとも、番組の特定情報と、当該番組で表示させるテロップの系統毎に割り付けられた１または２以上のテロップ送出機３を識別する送出機識別情報と、副調整室内に設けられテロップのオン／オフ操作を行う制御端末４を識別する制御端末識別情報とが記憶されるようになっている。
【００４５】
なお、本実施形態では、設定ファイル記憶部８１２を送出機割付サーバ８内に設けているが、この構成に限定されるものではなく、送出機割付サーバ８とは別体のデータサーバ内に格納するようにしてもよい。
【００４６】
つぎに、演算処理手段８２について説明する。送出機割付サーバ８における演算処理手段８２は、ＣＰＵ（Central Processing Unit）等から構成されており、記憶手段８１にインストールされた送出機割付プログラム８ａを実行させることにより、図２に示すように、コンピュータを送出機割付サーバ８として、設定ファイル取得部８２１および送出機割付部８２２として機能させるようになっている。
【００４７】
設定ファイル取得部８２１は、割付指示端末２によって生成された設定ファイルを取得して設定ファイル記憶部８１２に記憶させるものであり、事前に設定ファイル記憶部８１２に設定ファイルが記憶されている場合は、その更新を行うものである。
【００４８】
送出機割付部８２２は、番組で使用するテロップ送出機３と制御端末４との割り付けを行うものであり、テロップ送出機３と制御端末４との間の制御信号の通信接続を確立させるとともに、テロップ送出機３と制御端末４との間の映像信号の通信接続を確立させるためマトリックススイッチにスイッチの切替命令を送信するものである。
【００４９】
具体的には、送出機割付部８２２は、設定ファイルに基づいて、番組の特定情報で特定される番組ごとに、送出機識別情報に対応する各テロップ送出機３に対して、制御端末識別情報に対応する制御端末４との通信接続を確立させるとともに、映像信号の切替を行うマトリックススイッチャ５を制御することにより、制御端末識別情報に対応する制御端末４の各系統に対して、送出機識別情報に対応する各テロップ送出機３を割り付けるようになっている。
【００５０】
本実施形態では、送出機割付部８２２が、設定ファイルから制御端末識別情報であるＩＰアドレスを読み取り、当該ＩＰアドレスに対応する制御端末４に対して、設定ファイルが更新された旨の通知を送信する。制御端末４では、当該通知を受信すると送出機割付サーバ８から設定ファイルを読み込み、当該設定ファイルから送出機識別情報であるＩＰアドレスに基づいて当該テロップ送出機３とソケット通信により接続を確立する。
【００５１】
なお、本実施形態において、送出機割付部８２２は、テロップ送出機３や制御端末４以外の機器、例えば、マルチビューア装置６やタリー装置７にも設定ファイルが更新された旨を通知するようになっている。そして、当該通知を受けた各装置は、能動的に送出機割付サーバ８の設定ファイルにアクセスし、各種の情報を更新するようになっている。
【００５２】
また、送出機割付部８２２は、設定ファイルから制御端末４のＩＰアドレスとこれに対応するテロップ送出機３のＩＰアドレスを取得し、当該制御端末４と当該テロップ送出機３とのクロスポイントとなるスイッチをオンに切り替えるようにマトリックススイッチャ５に切替命令を送信する。これにより、制御端末４の各系統に対して、テロップ送出機３が割り付けられるようになっている。
【００５３】
つぎに、本実施形態の送出機割付サーバ８、テロップ送出機３、割付指示端末２、送出機割付システム１および送出機割付プログラム８ａの各構成の作用について説明する。
【００５４】
まず、本実施形態の割付指示端末２を用いて割り付け作業を行う場合、図５に示すように、番組の収録や生放送等を行うための副調整室を選択する（ステップＳ１）。本実施形態では、表示制御部２３によって表示手段２１に副調整室Ａ〜Ｅを表す複数のアイコンを表示させたメニュー画面から、所望の副調整室Ａ〜Ｅを示すアイコンをクリックすることで選択される。
【００５５】
つぎに、割り付け作業を行う番組のジャンルを選択する（ステップＳ２）。本実施形態では、図６に示すように、プルダウンメニューによって「報道」、「制作」、「スポーツ」、「技術」、「番組編集室」のリストが表示され、所望のジャンルをクリックすることにより選択される。
【００５６】
つぎに、ステップＳ２で選択されたジャンルに属する番組リストの中から番組を選択する（ステップＳ３）。具体的には、表示制御部２３が、図７に示すように、番組を選択するための番組リスト画面を表示手段２１に表示する。このとき表示制御部２３は、番組名とともに直近の放送終了時における同番組で使用した系統を表示する。これにより番組名を選択するだけで、使用する系統を選択することができ、例えば、毎日放送される報道番組等においては、割り付け作業の都度、使用する系統を確認する必要がなくなり、入力作業の負担が軽減される。また、系統を変更する場合は、系統を示すタブをクリックすることにより使用する系統を変更することができる。
【００５７】
つぎに、放送日を選択する（ステップＳ４)。本実施形態では、表示制御部２３により表示されたカレンダーから放送日を選択することができる。以上で、番組の特定情報が入力される。
【００５８】
つぎに、制御端末４を、制御する系統に割り付ける（ステップＳ５）。本実施形態において、表示制御部２３は、図８に示すように、割付画面として制御端末４を表す複数の制御端末アイコンを左側縦一列に並べて表示させ、テロップの系統を表す複数の系統アイコンを中央縦一列に並べて表示させ、テロップ送出機３を表す複数の送出機アイコンを右側縦一列に並べて表示させる。このとき表示制御部２３は、放送日などに基づき使用不可になっている送出機の送出機アイコンは、使用可能な送出機アイコンと異なる色で表示させる。
【００５９】
また、表示制御部２３は、図９に示すように、割付画面において制御端末アイコンから系統アイコンへのドラッグ・アンド・ドロップ操作が行われると、当該操作が行われた制御端末アイコンと系統アイコンとを連結する線を表示する。これにより、当該線で連結された制御端末４と系統とが割り付けられ、視覚的および直感的な割り付け作業が可能となる。なお、本実施形態では、制御端末アイコンから系統アイコンへのドラッグ・アンド・ドロップ操作を行っているが、この構成に限定されるものではなく、制御端末アイコンおよび系統アイコンのいずれか一方から他方へのドラッグ・アンド・ドロップ操作により割り付け可能としてもよい。
【００６０】
つぎに、系統と使用するテロップ送出機３との割り付けを行う（ステップＳ６）。ステップＳ５の割り付け作業と同様に、表示制御部２３は、図１０に示すように、割付画面において系統アイコンからテロップ送出機アイコンへのドラッグ・アンド・ドロップ操作が行われると、当該操作が行われた系統アイコンと送出機アイコンとを連結する線を表示する。これにより、当該線で連結された系統とテロップ送出機３とが割り付けられ、視覚的および直感的な割り付け作業が可能となる。
【００６１】
なお、本実施形態では、系統アイコンからテロップ送出機アイコンへドラッグ・アンド・ドロップ操作を行っているが、この構成に限定されるものではなく、系統アイコンおよびテロップ送出機アイコンのいずれか一方から他方へのドラッグ・アンド・ドロップ操作により割り付け可能としてもよい。一方、ドラッグ・アンド・ドロップ操作を行った送出機アイコンが使用不可のものである場合は線が表示されず、割り付けが行えないようになっている。これにより、テロップ送出機３の使用スケジュールが把握でき、放送時に足りなくなる等のトラブルを未然に避けられる。
【００６２】
このように、表示制御部２３は、系統に対する制御端末４やテロップ送出機３の割り付けを視覚的に確認しながら直感的な操作により行うことができる。
【００６３】
割り付け作業が終了すると、割付画面にある登録タブをクリックする。これにより、割付指示端末２は、設定ファイルを生成し、当該設定ファイルを送出機割付サーバ８へ送信する（ステップＳ７）。
【００６４】
一方、送出機割付サーバ８では、図１１に示すように、設定ファイル取得部８２１が割付指示端末２により作成された設定ファイルを取得する（ステップＳ１１）。これにより、取得された設定ファイルによって、設定ファイル記憶部８１２内の設定ファイルが更新される（ステップＳ１２）。
【００６５】
つぎに、送出機割付部８２２は、設定ファイルの制御端末識別情報に該当する制御端末４と、マルチビューア装置６と、タリー装置７とに対して更新通知を送信する（ステップＳ１３）。
【００６６】
制御端末４では、更新通知を受信すると、送出機割付サーバ８から設定ファイルを読み込む。そして、設定ファイルの送出機識別情報に該当するテロップ送出機３に対してソケット通信により通信接続を確立する。これにより、制御端末４は、テロップ送出機３に対して制御信号を送信できるようになり、当該テロップ送出機３を遠隔から制御できるようになる。
【００６７】
また、テロップ送出機３は、制御端末４と通信接続が確立すると、位相値記憶部３１から当該制御端末４に対応する位相値を読み出し、映像信号を同期させるため当該位相値を設定する。これにより、テロップに対する映像信号の位相差をなくすことができる。
【００６８】
マルチビューア装置６は、更新通知を受信すると送出機割付サーバ８から設定ファイルを読み込み、更新された内容に基づいて各種の情報を更新する。また、タリー装置７は、更新通知を受信すると送出機割付サーバ８から設定ファイルを読み込み、タリー監視画面等を更新する。
【００６９】
つぎに、送出機割付部８２２は、設定ファイルの送出機識別情報や制御端末識別情報に基づいてマトリックススイッチャ５に対してスイッチの切替命令を送信する（ステップＳ１４）。
【００７０】
マトリックススイッチャ５では、図４に示すように、切替命令にしたがって、テロップ送出機３と制御端末４の系統とのクロスポイントのスイッチのオン／オフ制御を行う。これにより、テロップ送出機３から出力されるテロップの映像信号を、図３に示すように、放送されるテレビ画面上の系統位置に映し出すことができる。
【００７１】
このように、完成した番組映像は、図１に示すように、主調整室に送られた後、送信所に送り出される。
【００７２】
以上のような本実施形態によれば、以下の効果を奏することができる。
１．複数のテロップ送出機３をネットワーク上で選択的に複数の副調整室に割り付けて使い回すことにより、全ての副調整室に必要なテロップ送出機３を簡単かつ安価に揃えることができる。
２．複数のテロップ送出機３の使用スケジュール管理が行えるとともに、テロップ送出機３や制御端末４等のセッティングを一括で行うことができる。
３．テロップ送出機３の設置場所には制約がないため、例えば、全てのテロップ送出機３を一室にまとめて設置することができる。
４．割り付けられた制御端末４に応じて自動的に映像信号を同期させることができる。
５．設定ファイルに基づき配線から位相差の同期まで自動で行うことができるので番組収録の準備にかかる時間を大幅に短縮することができる。
６．割り付け作業を視覚的かつ直感的に行えて設定ファイルを簡単に作成することができる。
７．各番組に必要な系統を表示して設定ファイルを簡単に作成することができる。
【００７３】
なお、本発明に係る送出機割付サーバ８、テロップ送出機３、割付指示端末２、送出機割付システム１および送出機割付プログラム８ａは、前述した実施形態に限定されるものではなく、適宜変更することができる。例えば、マトリックススイッチャ５に入力される映像信号は、テロップ送出機３の映像信号に限定されるものではなく、テレビカメラ等の他の映像出力装置から出力される映像信号としてもよい。
【符号の説明】
【００７４】
１  送出機割付システム
２  割付指示端末
３  テロップ送出機
４  制御端末
５  マトリックススイッチャ
６  マルチビューア装置
７  タリー装置
８  送出機割付サーバ
８ａ  送出機割付プログラム
２１  表示手段
２２  入力手段
２３  表示制御部
３１  位相値記憶部
４１  制御スイッチ
８１  記憶手段
８２  演算処理手段
８１１  プログラム記憶部
８１２  設定ファイル記憶部
８２１  設定ファイル取得部
８２２  送出機割付部
【図１】
2018082231.tif 000003
【図２】
2018082231.tif 000004
【図３】
2018082231.tif 000005
【図４】
2018082231.tif 000006
【図５】
2018082231.tif 000007
【図６】
2018082231.tif 000008
【図７】
2018082231.tif 000009
【図８】
2018082231.tif 000010
【図９】
2018082231.tif 000011
【図１０】
2018082231.tif 000012
【図１１】
2018082231.tif 000013